(57)【要約】【課題】信号生成装置を小型化すること。【解決手段】送信部と受信部とを備え、前記送信部に入力される入力波を絶縁伝送することで前記受信部から出力波を出力する第１絶縁素子と、前記出力波に基づいて、電源電圧を生成する電源部と、前記電源電圧に応じた電圧を有する出力信号が出力される端子である出力端子と、制御信号を生成する制御信号生成部と、前記制御信号を絶縁伝送し、絶縁伝送された前記制御信号に基づいて駆動信号を生成する絶縁部と、前記駆動信号に基づいて、前記出力端子に前記出力信号を出力するか否かを選択する出力選択部と、前記送信部から得られる検出波に基づいて、前記出力信号の状態を示す第１検出信号を生成する第１検出部と、前記第１検出信号に応じて、前記制御信号を調整する制御信号調整部と、を備え、前記出力信号は、前記制御信号調整部による前記制御信号の調整に応じて、調整される、信号生成装置。【選択図】図１
2017143726.tif 000002
【特許請求の範囲】
【請求項１】
送信部と受信部とを備え、前記送信部に入力される入力波を絶縁伝送することで前記受信部から出力波を出力する第１絶縁素子と、
前記出力波に基づいて、電源電圧を生成する電源部と、
前記電源電圧に応じた電圧を有する出力信号が出力される端子である出力端子と、
制御信号を生成する制御信号生成部と、
前記制御信号を絶縁伝送し、絶縁伝送された前記制御信号に基づいて駆動信号を生成する絶縁部と、
前記駆動信号に基づいて、前記出力端子に前記出力信号を出力するか否かを選択する出力選択部と、
前記送信部から得られる検出波に基づいて、前記出力信号の状態を示す第１検出信号を生成する第１検出部と、
前記第１検出信号に応じて、前記制御信号を調整する制御信号調整部と、を備え、
前記出力信号は、前記制御信号調整部による前記制御信号の調整に応じて、調整される、
信号生成装置。
【請求項２】
前記第１検出部は、前記出力信号が所定の電圧値以下の状態である場合に、前記第１検出信号として、第１異常信号を生成し、
前記制御信号調整部は、前記第１異常信号が入力されると、前記制御信号を減衰し、
前記制御信号の減衰に応じて、前記駆動信号が減衰され、
前記駆動信号の減衰により、前記出力選択部による前記出力端子への前記出力信号の出力が停止される、
請求項１に記載の信号生成装置。
【請求項３】
前記入力波は、前記制御信号生成部に、入力され、
前記入力波は、高周波であり、
前記制御信号生成部は、入力信号により前記高周波を変調することで、前記制御信号を生成し、
前記制御信号は、第１制御信号と、第２制御信号と、を含み、
前記駆動信号は、第１駆動信号と、第２駆動信号と、を含み、
前記絶縁部は、第２絶縁素子と、第３絶縁素子と、第２整流部と、第３整流部と、を備え、
前記第２絶縁素子は、前記第１制御信号を絶縁伝送し、
前記第２整流部は、絶縁伝送された前記第１制御信号を整流することにより、前記第１駆動信号を生成し、
前記第３絶縁素子は、前記第２制御信号を絶縁伝送し、
前記第３整流部は、絶縁伝送された前記第２制御信号を整流することにより、前記第２駆動信号を生成し、
前記出力選択部は、第１スイッチング素子と、第２スイッチング素子と、を備え、
前記第１スイッチング素子は、前記第１駆動信号により、オン／オフの状態が切り替えられ、
前記第２スイッチング素子は、前記第２駆動信号により、オン／オフの状態が切り替えられ、
前記第１スイッチング素子と前記第２スイッチング素子とのオン／オフの状態に応じて前記電源部と前記出力端子との導通／非導通の状態が変化することで、前記出力端子から前記出力信号が出力されるか否かが選択され、
前記電源部と前記出力端子とが導通状態である場合に、前記出力端子から前記出力信号が出力され、
前記制御信号調整部は、前記第１検出信号が入力されると、前記第１制御信号と第２制御信号とうちの少なくとも一方を、調整する、
請求項１または２に記載の信号生成装置。
【請求項４】
前記第１検出部は、第１検出端子と第１検出回路とを備え、
前記第１検出端子は、前記送信部に接続され、
前記第１検出回路は、前記第１検出端子から入力される前記検出波に基づいて、前記第１検出信号を生成する、
請求項１から３のいずれかに記載の信号生成装置。
【請求項５】
前記入力波は、高周波であり、
前記検出波には、高周波成分が含まれ、
前記第１検出回路は、整流部を備え、
前記第１検出回路は、前記整流部により前記高周波成分を整流することにより、前記第１検出信号を生成する、
請求項４に記載の信号生成装置。
【請求項６】
前記入力波は、高周波であり、
前記電源部は、第１整流部と、電荷蓄積素子と、を備え、
前記第１整流部は、前記出力波を整流することで、充電用電圧を生成し、
前記電荷蓄積素子は、前記充電用電圧により充電され、
前記電源電圧は、前記電荷蓄積素子の放電電圧であり、
前記出力選択部は、第１スイッチング素子を備え、
前記第１スイッチング素子のオン／オフの状態に応じて、前記電荷蓄積素子と前記出力端子との導通／非導通の状態が変化し、
前記電荷蓄積素子と前記出力端子とが導通状態である場合に、前記出力端子から前記出力信号が出力される、
請求項１から５のいずれかに記載の信号生成装置。
【請求項７】
前記入力波は、高周波であり、
前記第１絶縁素子は、電磁界共鳴結合器であり、
前記電磁界共鳴結合器は、送信側配線と、前記送信側配線に対向する受信側配線と、を備え、
前記送信部は、前記送信側配線であり、
前記受信部は、前記受信側配線である、
請求項１から６のいずれかに記載の信号生成装置。
【請求項８】
入力波調整部をさらに備え、
前記第１検出信号は、前記入力波調整部に、入力され、
前記入力波調整部は、前記第１検出信号に応じて、前記入力波を調整し、
前記入力波調整部による前記入力波の調整により、前記出力信号が調整される、
請求項１から７のいずれかに記載の信号生成装置。
【請求項９】
前記第１検出部は、前記出力信号が所定の電圧値以下である状態である場合に、前記第１検出信号として、第１異常信号を生成し、
前記入力波調整部は、前記第１異常信号が入力されると、前記入力波を増幅し、
前記入力波調整部による前記入力波の増幅により、前記出力信号は前記所定の電圧値よりも高くなる、
請求項８に記載の信号生成装置。
【請求項１０】
前記出力信号に応じた第２検出信号を生成する第２検出部と、
前記第２検出信号に基づいて、前記出力信号を調整する第２調整部を備える、
請求項１から９のいずれかに記載の信号生成装置。
【請求項１１】
前記第２検出部は、前記出力信号が所定の電圧値以下の状態である場合に、前記第２検出信号として、第２異常信号を生成し、
前記第２調整部は、前記第２異常信号が入力されると、前記出力端子への前記出力信号の出力を停止させる、
請求項１０に記載の信号生成装置。
【発明の詳細な説明】
【技術分野】
【０００１】
本開示は、信号生成装置に関する。
【背景技術】
【０００２】
特許文献１は、第２回路から伝達される異常パルス信号を異常パルス信号伝達用の絶縁素子を用いて第１回路に伝達する信号伝達装置を、開示している。
【先行技術文献】
【特許文献】
【０００３】
【特許文献１】特開２０１２−２５７４２１号公報
【発明の概要】
【発明が解決しようとする課題】
【０００４】
従来技術においては、信号生成装置を小型化することができない。
【課題を解決するための手段】
【０００５】
本開示の一様態における信号生成装置は、送信部と受信部とを備え、前記送信部に入力される入力波を絶縁伝送することで前記受信部から出力波を出力する第１絶縁素子と、前記出力波に基づいて、電源電圧を生成する電源部と、前記電源電圧に応じた電圧を有する出力信号が出力される端子である出力端子と、制御信号を生成する制御信号生成部と、前記制御信号を絶縁伝送し、絶縁伝送された前記制御信号に基づいて駆動信号を生成する絶縁部と、前記駆動信号に基づいて、前記出力端子に前記出力信号を出力するか否かを選択する出力選択部と、前記送信部から得られる検出波に基づいて、前記出力信号の状態を示す第１検出信号を生成する第１検出部と、前記第１検出信号に応じて、前記制御信号を調整する制御信号調整部と、を備え、前記出力信号は、前記制御信号調整部による前記制御信号の調整に応じて、調整される。
【発明の効果】
【０００６】
本開示によれば、信号生成装置を小型化することができる。
【図面の簡単な説明】
【０００７】
【図１】図１は、実施の形態１における信号生成装置１０００の概略構成を示す図である。
【図２】図２は、実施の形態１における信号生成装置１１００の概略構成を示す図である。
【図３】図３は、実施の形態１における信号生成装置１２００の概略構成を示す図である。
【図４】図４は、実施の形態１における信号生成装置１３００の概略構成を示す図である。
【図５】図５は、実施の形態１における信号生成装置１４００の概略構成を示す図である。
【図６】図６は、実施の形態１における信号生成装置１５００の概略構成を示す図である。
【図７】図７は、実施の形態１における信号生成装置１６００の概略構成を示す図である。
【図８】図８は、実施の形態１における信号生成装置１７００の概略構成を示す図である。
【図９】図９は、検出信号の測定実験に用いた回路を示す図である。
【図１０】図１０は、検出信号の測定結果を示す図である。
【図１１】図１１は、実施の形態２における信号生成装置２０００の概略構成を示す図である。
【図１２】図１２は、実施の形態２における信号生成装置２１００の概略構成を示す図である。
【図１３】図１３は、実施の形態２における信号生成装置２２００の概略構成を示す図である。
【図１４】図１４は、実施の形態２における信号生成装置２３００の概略構成を示す図である。
【図１５】図１５は、実施の形態２における信号生成装置２４００の概略構成を示す図である。
【図１６】図１６は、実施の形態２における信号生成装置２５００の概略構成を示す図である。
【図１７】図１７は、実施の形態３における信号生成装置３０００の概略構成を示す図である。
【図１８】図１８は、比較例における信号生成装置９０の概略構成を示す図である。
【発明を実施するための形態】
【０００８】
以下、本開示の実施の形態が、図面を参照しながら、説明される。
【０００９】
（実施の形態１）
図１は、実施の形態１における信号生成装置１０００の概略構成を示す図である。
【００１０】
実施の形態１における信号生成装置１０００は、第１絶縁素子１００と、電源部２００と、出力端子１０と、出力選択部３００と、第１検出部４００と、を備える。
【００１１】
第１絶縁素子１００は、送信部１０１（例えば、送信部分）と受信部１０２（例えば、受信部分）とを備える。第１絶縁素子１００は、送信部１０１に入力される入力波を絶縁伝送する（すなわち、電気的な絶縁状態で伝送する）ことで、受信部１０２から出力波を出力する。
【００１２】
電源部２００は、出力波に基づいて、電源電圧を生成する。
【００１３】
出力端子１０は、電源電圧に応じた電圧を有する出力信号が出力される端子である。
【００１４】
出力選択部３００は、出力端子１０に出力信号を出力するか否かを選択する。
【００１５】
第１検出部４００は、送信部１０１から得られる検出波に基づいて、出力信号の状態を示す第１検出信号を生成する。
【００１６】
以上の構成によれば、信号生成装置の回路の１次側（絶縁伝送の送信側）で、２次側（絶縁伝送の受信側）の出力信号の変化（例えば、低電圧状態などの異常の発生、など）を検出することができる。これにより、例えば、出力信号の変化に応じた調整を、１次側で、行うことができる。また、例えば、出力信号に異常が生じたことを示す信号を１次側に送るためだけの絶縁伝送経路（例えば、別の絶縁素子、など）が、不要となる。したがって、信号生成装置を小型化することができる。
【００１７】
以上の効果の詳細が、比較例を参照しながら、下記のように説明される。
【００１８】
図１８は、比較例における信号生成装置９０の概略構成を示す図である。
【００１９】
比較例における信号生成装置９０は、第１絶縁素子１００と、電源部２００と、出力端子１０と、出力選択部３００と、２次側入力端子９１と、検出部９２と、絶縁素子９３と、を備える。
【００２０】
２次側入力端子９１には、出力信号が入力される外部回路から得られる信号が、入力される。
【００２１】
検出部９２は、２次側入力端子９１からの信号を検出する。また、検出部９２は、検出した信号を、絶縁素子９３に出力する。
【００２２】
絶縁素子９３は、検出部９２からの信号を、１次側に絶縁伝送する。１次側に絶縁伝送された信号が、検出信号となる。
【００２３】
以上のように、比較例では、出力信号の異常を、２次側で検出している。このため、比較例では、出力信号に異常が生じたことを示す信号を１次側に送るためだけの絶縁伝送経路（例えば、絶縁素子９３、など）が必要となる。したがって、比較例では、回路規模およびコストが増大してしまうという課題が生じる。
【００２４】
これに対して、実施の形態１における信号生成装置では、１次側から入力される入力波を２次側に伝送する第１絶縁素子１００を用いて、２次側の出力信号の変化（例えば、出力信号の異常、など）を、１次側で検出する。したがって、実施の形態１における信号生成装置であれば、２次側での電源電圧異常を１次側に伝送するための専用の絶縁伝送経路が不要となる。このため、実施の形態１における信号生成装置であれば、回路規模を大型化させずに、２次側の出力信号の変化を、１次側で検出することができる。
【００２５】
第１検出部４００により出力された第１検出信号は、出力信号の調整に用いられてもよい。例えば、第１検出部４００により出力された第１検出信号に基づいて、出力信号の出力の停止が行われてもよい。
【００２６】
もしくは、第１検出部４００により出力された第１検出信号は、信号生成装置１０００の内部または外部に送信されてもよい。このとき、この送信された第１検出信号に基づいて、何らかの通知（例えば、出力信号に異常が発生したことを示す通知、など）が、行われてもよい。
【００２７】
もしくは、第１検出部４００により出力された第１検出信号を用いてＵＶＬＯ（Ｕｎｄｅｒ  Ｖｏｌｔａｇｅ  Ｌｏｃｋ  Ｏｕｔ）の機能を有する回路が、構成されてもよい。
【００２８】
実施の形態１における信号生成装置では、１次側において、検出信号が得られる。これにより、２次側の出力信号の出力停止だけでなく、２次側の電源電圧の電圧値の制御も同時に行うことができる。
【００２９】
第１絶縁素子１００としては、例えば、２次側の出力状態に応じて送信部１０１の状態（例えば、反射波の状態、共鳴器間の共鳴状態、など）が変化する絶縁素子が、用いられうる。第１絶縁素子１００としては、例えば、電磁界共鳴結合器、トランス、などが、用いられうる。
【００３０】
入力波としては、例えば、第１絶縁素子１００により絶縁伝送が可能な電力波が、用いられうる。入力波は、例えば、高周波であってもよい。高周波は、１ＭＨｚ以上の周波数の高周波電力であってもよい。
【００３１】
入力波は、信号生成装置１０００の外部から入力されてもよい。もしくは、信号生成装置１０００そのものが、入力波を生成する手段（例えば、後述する高周波生成部４０、など）を、備えていてもよい。
【００３２】
電源部２００としては、例えば、後述する図４または図５に示される構成が、用いられる。
【００３３】
出力選択部３００としては、例えば、後述する図４または図５に示される構成が、用いられる。
【００３４】
第１検出部４００としては、例えば、後述する図２〜図５に示される構成が、用いられる。
【００３５】
出力端子１０は、例えば、スイッチング素子３０（例えば、パワー半導体トランジスタ）、負荷、などに、接続されてもよい。
【００３６】
出力信号は、例えば、出力端子１０と接続されるスイッチング素子３０の導通制御端子（例えば、ゲート端子）に入力されるゲート駆動信号であってもよい。このとき、信号生成装置１０００は、スイッチング素子３０のゲートドライバ（ゲート駆動回路）として、構成されてもよい。すなわち、信号生成装置１０００が出力する出力信号の電圧値に応じて、スイッチング素子３０のオン／オフの状態が、切り替えられてもよい。
【００３７】
図２は、実施の形態１における信号生成装置１１００の概略構成を示す図である。
【００３８】
実施の形態１における信号生成装置１１００は、上述の信号生成装置１０００の構成に加えて、さらに、下記の構成を備える。
【００３９】
すなわち、実施の形態１における信号生成装置１１００においては、第１検出部４００は、第１検出回路４１０を備える。
【００４０】
第１検出回路４１０は、第１検出端子４１１を備える。
【００４１】
第１検出端子４１１は、送信部１０１に接続される。
【００４２】
第１検出回路４１０は、第１検出端子４１１から入力される検出波に基づいて、第１検出信号を生成する。
【００４３】
以上の構成によれば、第１絶縁素子の送信部の状態の変化を、より精度良く、検出できる。したがって、出力信号の変化（例えば、異常の発生、など）を、より精度良く、検出できる。
【００４４】
図２に示されるように、信号生成装置１１００は、その１次側（絶縁伝送の送信側）に、第１検出部４００（第１検出回路４１０と第１検出端子４１１）と、送信部１０１と、を備える。
【００４５】
また、図２に示されるように、信号生成装置１１００は、その２次側（絶縁伝送の受信側）に、受信部１０２と、電源部２００と、出力選択部３００と、出力端子１０と、を備える。
【００４６】
図３は、実施の形態１における信号生成装置１２００の概略構成を示す図である。
【００４７】
実施の形態１における信号生成装置１２００は、上述の信号生成装置１１００の構成に加えて、さらに、下記の構成を備える。
【００４８】
すなわち、実施の形態１における信号生成装置１２００においては、入力波は、高周波である。このため、検出波には、高周波成分が含まれる。
【００４９】
第１検出回路４１０は、整流部４１２を備える。
【００５０】
第１検出回路４１０は、整流部４１２により検出波に含まれる高周波成分を整流することにより、第１検出信号を生成する。
【００５１】
以上の構成によれば、出力信号の変化に応じて、第１絶縁素子の送信部の状態が、より顕著に変化する。このため、第１絶縁素子の送信部の状態の変化を、より精度良く、検出できる。したがって、出力信号の変化（例えば、異常の発生、など）を、より精度良く、検出できる。
【００５２】
整流部４１２としては、例えば、後述する図５に示される構成が、用いられる。
【００５３】
なお、第１検出回路４１０は、さらに、例えば、比較器、増幅器、など、を備えていてもよい。
【００５４】
図４は、実施の形態１における信号生成装置１３００の概略構成を示す図である。
【００５５】
実施の形態１における信号生成装置１３００は、上述の信号生成装置１２００の構成に加えて、さらに、下記の構成を備える。
【００５６】
すなわち、実施の形態１における信号生成装置１３００においては、入力波は、高周波である。
【００５７】
電源部２００は、第１整流部２１０と、電荷蓄積素子２２０と、を備える。
【００５８】
第１整流部２１０は、出力波を整流することで、充電用電圧を生成する。
【００５９】
電荷蓄積素子２２０は、充電用電圧により充電される。
【００６０】
実施の形態１における信号生成装置１３００においては、電源部２００により生成される電源電圧とは、電荷蓄積素子２２０の放電電圧である。
【００６１】
出力選択部３００は、第１スイッチング素子３１０を備える。
【００６２】
第１スイッチング素子３１０のオン／オフの状態に応じて、電荷蓄積素子２２０と出力端子１０との導通／非導通の状態が変化する。
【００６３】
電荷蓄積素子２２０と出力端子１０とが導通状態である場合に、出力端子１０から出力信号が出力される。
【００６４】
以上の構成によれば、電荷蓄積素子の放電電圧の変化により、出力信号の変化が生じる。したがって、電荷蓄積素子の放電電圧の変化に応じて、第１絶縁素子の送信部の状態が、変化する。したがって、第１絶縁素子の送信部の状態の変化を、より精度良く、検出できる。したがって、出力信号の変化（例えば、異常の発生、など）を、より精度良く、検出できる。
【００６５】
第１整流部２１０としては、例えば、後述する図５に示される構成が、用いられる。
【００６６】
電荷蓄積素子２２０としては、例えば、キャパシタなど、が用いられうる。
【００６７】
第１スイッチング素子３１０としては、例えば、トランジスタなど、が用いられうる。このとき、第１スイッチング素子３１０の導通制御端子（例えば、ゲート端子）には、駆動信号が入力されて、オン／オフの状態が切り替えられてもよい。駆動信号の生成方法としては、例えば、後述する図６〜図８に示される構成が、用いられてもよい。
【００６８】
図５は、実施の形態１における信号生成装置１４００の概略構成を示す図である。
【００６９】
実施の形態１における信号生成装置１４００は、上述の信号生成装置１３００の構成に加えて、さらに、下記の構成を備える。
【００７０】
すなわち、実施の形態１における信号生成装置１４００においては、入力波は、高周波である。
【００７１】
第１絶縁素子１００は、電磁界共鳴結合器である。電磁界共鳴結合器は、送信側配線と、受信側配線と、を備える。受信側配線は、送信側配線に対向する。
【００７２】
実施の形態１における信号生成装置１４００においては、送信部１０１（例えば、送信部分）とは、送信側配線である。また、受信部１０２（例えば、受信部分）とは、受信側配線である。
【００７３】
以上の構成によれば、出力信号の変化に応じて、第１絶縁素子の送信部の状態（例えば、受信側配線からの送信側配線への反射波の状態、など）が、より顕著に変化する。このため、第１絶縁素子の送信部の状態の変化を、より精度良く、検出できる。したがって、出力信号の変化（例えば、異常の発生、など）を、より精度良く、検出できる。
【００７４】
電磁界共鳴結合器は、送信側配線と受信側配線との間で、電磁界共鳴結合により、伝送対象の信号を絶縁伝送（非接触伝送）する。
【００７５】
送信側配線と受信側配線とは、一定の距離だけ離れて、対向して設けられる。
【００７６】
送信側配線と受信側配線とは、金属配線によって形成された周回形状の伝送線路であってもよい。
【００７７】
送信側配線と受信側配線とは、各配線の任意の位置に、開放部をそれぞれ有していてもよい。
【００７８】
送信側配線と受信側配線とは、各配線の任意の位置に、端子部をそれぞれ有していてもよい。各配線への伝送対象の信号の入出力は、これらの端子部から行われてもよい。
【００７９】
送信側配線と受信側配線とのそれぞれの線路長は、例えば、伝送対象の信号の約２分の１波長の長さである。
【００８０】
送信側配線と受信側配線との外形の輪郭は、円形または矩形であってもよい。
【００８１】
図５に示される構成例では、信号生成装置１４００は、さらに、出力基準端子１１と、入力波入力端子２０と、を備えている。
【００８２】
入力波入力端子２０は、電磁界共鳴結合器の送信側配線（第１絶縁素子１００の送信部１０１）に接続される。
【００８３】
出力端子１０は、スイッチング素子３０の導通制御端子（例えば、ゲート端子）に、接続される。
【００８４】
また、出力基準端子１１は、スイッチング素子３０の端子（例えば、ソース端子）に、接続される。
【００８５】
このように、図５に示される構成例では、一例として、出力信号がスイッチング素子３０に出力される例が、示されている。
【００８６】
図５に示される構成例では、入力波である高周波は、高周波生成部４０により生成される。高周波生成部４０により生成された高周波は、入力波入力端子２０に入力される。これにより、入力波である高周波は、電磁界共鳴結合器の送信側配線（第１絶縁素子１００の送信部１０１）に入力される。
【００８７】
なお、図５に示されるように、高周波生成部４０は、信号生成装置１４００の外部に設けられてもよい。もしくは、信号生成装置１４００そのものが、高周波生成部４０を、備えていてもよい。
【００８８】
実施の形態１における信号生成装置１４００においては、第１検出回路４１０は、第１検出端子４１１と、整流部４１２と、比較器４１３と、基準電圧４１４と、増幅器４１５と、を備える。
【００８９】
第１検出端子４１１は、電磁界共鳴結合器の送信側配線に接続される。
【００９０】
整流部４１２は、リアクトルＬ０とダイオードＤ０とキャパシタＣ０とからなる整流回路である。
【００９１】
整流部４１２は、第１検出端子４１１から入力される検出波を整流する。
【００９２】
増幅器４１５は、整流部４１２で整流された整流信号を増幅する。これにより、例えば、整流信号の強度が微弱な場合であっても、検出信号の検出感度を上げることができる。
【００９３】
比較器４１３は、増幅器４１５により増幅された増幅信号と基準電圧４１４とを比較することで、第１検出信号を出力する。
【００９４】
実施の形態１における信号生成装置１４００においては、電源部２００は、第１整流部２１０と、電荷蓄積素子２２０（キャパシタ）と、を備える。
【００９５】
第１整流部２１０は、リアクトルＬ１とダイオードＤ１とキャパシタＣ１とからなる整流回路である。
【００９６】
第１整流部２１０の入力端は、電磁界共鳴結合器の受信側配線（第１絶縁素子１００の受信部１０２）に接続される。
【００９７】
電荷蓄積素子２２０の第１端は、第１整流部２１０の出力端の一方と接続される。
【００９８】
電荷蓄積素子２２０の第２端は、第１整流部２１０の出力端のもう一方と接続される。
【００９９】
実施の形態１における信号生成装置１４００においては、出力選択部３００は、第１スイッチング素子３１０と、第２スイッチング素子３２０と、を備える。
【０１００】
第１スイッチング素子３１０および第２スイッチング素子３２０としては、例えば、トランジスタなど、が用いられうる。このとき、第１スイッチング素子３１０および第２スイッチング素子３２０の導通制御端子（例えば、ゲート端子）には、それぞれ、駆動信号が入力されて、オン／オフの状態が切り替えられてもよい。駆動信号の生成方法としては、例えば、後述する図６〜図８に示される構成が、用いられてもよい。
【０１０１】
第１スイッチング素子３１０の第１端子（例えば、ドレイン端子）は、電荷蓄積素子２２０の第１端と、接続される。
【０１０２】
第１スイッチング素子３１０の第２端子（例えば、ソース端子）は、第２スイッチング素子３２０の第１端子（例えば、ドレイン端子）と、接続される。
【０１０３】
第２スイッチング素子３２０の第２端子（例えば、ソース端子）は、電荷蓄積素子２２０の第２端と、接続される。
【０１０４】
出力端子１０は、第１スイッチング素子３１０の第２端子（例えば、ソース端子）と第２スイッチング素子３２０の第１端子（例えば、ドレイン端子）とを結ぶ経路に、接続される。
【０１０５】
また、出力基準端子１１は、第２スイッチング素子３２０の第２端子（例えば、ソース端子）と電荷蓄積素子２２０の第２端とを結ぶ経路に、接続される。
【０１０６】
図６は、実施の形態１における信号生成装置１５００の概略構成を示す図である。
【０１０７】
以下、図６について、上述の図１と共通する部分の説明は、適宜、省略される。
【０１０８】
実施の形態１における信号生成装置１５００は、上述の信号生成装置１０００の構成に加えて、さらに、下記の構成を備える。
【０１０９】
すなわち、実施の形態１における信号生成装置１５００は、さらに、制御信号生成部６００と、絶縁部７００と、を備える。
【０１１０】
制御信号生成部６００は、制御信号を生成する。
【０１１１】
制御信号生成部６００は、信号生成装置１５００の外部より入力される入力信号に基づいて、制御信号を生成してもよい。もしくは、制御信号生成部６００そのものが、制御信号を生成する論理回路（例えば、ＣＰＵおよびメモリなどで構成される回路）であってもよい。
【０１１２】
制御信号生成部６００としては、例えば、後述する図７または図８に示される構成が、用いられる。
【０１１３】
絶縁部７００は、制御信号を絶縁伝送し、絶縁伝送された制御信号に基づいて駆動信号を生成する。
【０１１４】
絶縁部７００は、絶縁素子を備えていてもよい。当該絶縁素子としては、例えば、電磁界共鳴結合器、トランス、などが、用いられうる。
【０１１５】
絶縁部７００は、さらに、整流回路などを、備えていてもよい。
【０１１６】
絶縁部７００としては、例えば、後述する図７または図８に示される構成が、用いられる。
【０１１７】
実施の形態１における信号生成装置１５００においては、出力選択部３００は、絶縁部７００により生成された駆動信号に基づいて、出力信号を出力するか否かを選択する。
【０１１８】
図７は、実施の形態１における信号生成装置１６００の概略構成を示す図である。
【０１１９】
以下、図７について、上述の図２と共通する部分の説明は、適宜、省略される。
【０１２０】
実施の形態１における信号生成装置１６００は、上述の信号生成装置１５００の構成に加えて、さらに、下記の構成を備える。
【０１２１】
すなわち、実施の形態１における信号生成装置１６００においては、入力波は、高周波である。
【０１２２】
入力波は、制御信号生成部６００に、入力される。
【０１２３】
制御信号生成部６００は、入力信号により高周波を変調することで、制御信号を生成する。
【０１２４】
制御信号生成部６００により生成される制御信号は、第１制御信号と、第２制御信号と、を含む。
【０１２５】
なお、入力信号は、信号生成装置１６００の外部から入力されてもよい。入力信号は、入力信号を生成する手段（例えば、後述する入力信号生成部５０、など）により、生成されてもよい。このとき、信号生成装置１６００そのものが、入力信号を生成する手段を、備えていてもよい。
【０１２６】
絶縁部７００により生成される駆動信号は、第１駆動信号と、第２駆動信号と、を含む。
【０１２７】
絶縁部７００は、第２絶縁素子７１０と、第３絶縁素子７２０と、第２整流部７３０と、第３整流部７４０と、を備える。
【０１２８】
第２絶縁素子７１０は、第１制御信号を絶縁伝送する。第２絶縁素子７１０は、送信部７１１（例えば、送信部分）と、受信部７１２（例えば、受信部分）と、を備える。第２絶縁素子７１０は、送信部７１１に入力される第１制御信号を絶縁伝送することで、受信部７１２から絶縁伝送された第１制御信号を出力する。
【０１２９】
第２整流部７３０は、絶縁伝送された第１制御信号を整流することにより、第１駆動信号を生成する。
【０１３０】
第３絶縁素子７２０は、第２制御信号を絶縁伝送する。第３絶縁素子７２０は、送信部７２１（例えば、送信部分）と、受信部７２２（例えば、受信部分）と、を備える。第３絶縁素子７２０は、送信部７２１に入力される第２制御信号を絶縁伝送することで、受信部７２２から絶縁伝送された第２制御信号を出力する。
【０１３１】
第３整流部７４０は、絶縁伝送された第２制御信号を整流することにより、第２駆動信号を生成する。
【０１３２】
第２絶縁素子７１０と第３絶縁素子７２０と第２整流部７３０と第３整流部７４０としては、例えば、後述する図８に示される構成が、用いられる。
【０１３３】
なお、第２絶縁素子７１０および第３絶縁素子７２０は、上述した第１絶縁素子１００と、同じ構成の絶縁素子であってもよい。もしくは、第１絶縁素子１００および第２絶縁素子７１０および第３絶縁素子７２０は、それぞれ、互いに異なる構成の絶縁素子であってもよい。
【０１３４】
出力選択部３００は、第１スイッチング素子３１０と、第２スイッチング素子３２０と、を備える。
【０１３５】
第１スイッチング素子３１０は、第１駆動信号により、オン／オフの状態が切り替えられる。
【０１３６】
第２スイッチング素子３２０は、第２駆動信号により、オン／オフの状態が切り替えられる。
【０１３７】
第１スイッチング素子３１０と第２スイッチング素子３２０とのオン／オフの状態に応じて、電源部２００と出力端子１０との導通／非導通の状態が変化する。これにより、出力端子１０から出力信号が出力されるか否かが選択される。
【０１３８】
電源部２００と出力端子１０とが導通状態である場合に、出力端子１０から出力信号が出力される。
【０１３９】
図７に示されるように、信号生成装置１６００は、その１次側（絶縁伝送の送信側）に、制御信号生成部６００と、送信部７１１と、送信部７２１と、を備える。
【０１４０】
また、図７に示されるように、信号生成装置１６００は、その２次側（絶縁伝送の受信側）に、受信部７１２と、受信部７２２と、第２整流部７３０と、第３整流部７４０と、を備える。
【０１４１】
図８は、実施の形態１における信号生成装置１７００の概略構成を示す図である。
【０１４２】
以下、図８について、上述の図５と共通する部分の説明は、適宜、省略される。
【０１４３】
実施の形態１における信号生成装置１７００は、上述の信号生成装置１６００の構成に加えて、さらに、下記の構成を備える。
【０１４４】
すなわち、実施の形態１における信号生成装置１７００においては、制御信号生成部６００は、変調部６１０を備える。
【０１４５】
図８に示される構成例では、信号生成装置１７００は、さらに、入力信号入力端子２１を備えている。
【０１４６】
入力信号入力端子２１および入力波入力端子２０は、変調部６１０に接続される。
【０１４７】
入力信号入力端子２１は、入力信号生成部５０に接続される。
【０１４８】
入力信号生成部５０は、入力信号として、第１入力信号と第２入力信号とを生成する。
【０１４９】
入力信号入力端子２１には、入力信号として、第１入力信号と第２入力信号とが入力される。
【０１５０】
変調部６１０は、第１入力信号により高周波を変調することで、第１制御信号を生成する。また、変調部６１０は、第２入力信号により高周波を変調することで、第２制御信号を生成する。
【０１５１】
第２絶縁素子７１０は、電磁界共鳴結合器である。電磁界共鳴結合器は、送信側配線（送信部７１１）と、受信側配線（受信部７１２）と、を備える。受信側配線は、送信側配線に対向する。
【０１５２】
第３絶縁素子７２０は、電磁界共鳴結合器である。電磁界共鳴結合器は、送信側配線（送信部７２１）と、受信側配線（受信部７２２）と、を備える。受信側配線は、送信側配線に対向する。
【０１５３】
第２整流部７３０は、リアクトルＬ２とダイオードＤ２とキャパシタＣ２とからなる整流回路である。
【０１５４】
第２整流部７３０の入力端は、電磁界共鳴結合器の受信側配線（第２絶縁素子７１０の受信部７１２）に接続される。
【０１５５】
第２整流部７３０の出力端の一方は、第１スイッチング素子３１０の導通制御端子（例えば、ゲート端子）に、接続される。
【０１５６】
第２整流部７３０の出力端のもう一方は、第１スイッチング素子３１０の第２端子（例えば、ソース端子）と第２スイッチング素子３２０の第１端子（例えば、ドレイン端子）とを結ぶ経路に、接続される。
【０１５７】
第３整流部７４０は、リアクトルＬ３とダイオードＤ３とキャパシタＣ３とからなる整流回路である。
【０１５８】
第３整流部７４０の入力端は、電磁界共鳴結合器の受信側配線（第３絶縁素子７２０の受信部７２２）に接続される。
【０１５９】
第３整流部７４０の出力端の一方は、第２スイッチング素子３２０の導通制御端子（例えば、ゲート端子）に、接続される。
【０１６０】
第３整流部７４０の出力端のもう一方は、第２スイッチング素子３２０の第２端子（例えば、ソース端子）に、接続される。
【０１６１】
［出力信号の生成方法］
以下に、出力信号の生成方法（信号生成装置の動作）の一例が、説明される。
【０１６２】
第１入力信号と第２入力信号とは、図８に示されるように、互いに相補的な関係（例えば、一方の信号の振幅が大きい期間には、もう一方の信号の振幅は小さい）にあるパルス信号であってもよい。
【０１６３】
この場合、第１制御信号と第２制御信号とは、図８に示されるように、互いに相補的な関係となる。このため、第１駆動信号と第２駆動信号とは、図８に示されるように、互いに相補的な関係となる。
【０１６４】
このとき、第１スイッチング素子３１０と第２スイッチング素子３２０とは、一方がオン状態の期間ではもう一方はオフ状態となるスイッチング制御が行われる。
【０１６５】
所定の動作期間に渡って、互いに相補的な関係である第１入力信号と第２入力信号とが繰り返し入力されることで、このスイッチング制御が所定の動作期間に渡って実行される。なお、第１入力信号と第２入力信号との切り替えの周波数を調整することで、このスイッチング制御の周波数が調整されうる。
【０１６６】
また、上述の所定の動作期間に渡って、第１絶縁素子１００に入力波が入力される。このため、上述の所定の動作期間に渡って、第１整流部２１０により充電用電圧が生成される。
【０１６７】
第１スイッチング素子３１０がオフ状態であり、かつ、第２スイッチング素子３２０がオン状態である期間においては、第１整流部２１０により生成された充電用電圧により、電荷蓄積素子２２０が充電される。
【０１６８】
その後、第１スイッチング素子３１０がオン状態であり、かつ、第２スイッチング素子３２０がオフ状態である期間に移ると、電荷蓄積素子２２０に蓄積された電荷が、第１スイッチング素子３１０を経由して、出力信号の一部として出力端子１０から出力される。これにより、出力端子１０から、瞬時に大電流を出力することができる。
【０１６９】
その後、再び、第１スイッチング素子３１０がオフ状態であり、かつ、第２スイッチング素子３２０がオン状態である期間に移ると、スイッチング素子３０の導通制御端子（例えば、ゲート端子）に蓄積している電荷が、第２スイッチング素子３２０を経由して、出力基準端子１１に放電される。これにより、スイッチング素子３０の停止を高速化できる。
【０１７０】
以上の出力動作を繰り返すことで、例えば、スイッチング素子３０を、高速に、スイッチングすることができる。
【０１７１】
［検出信号の測定実験］
図９は、検出信号の測定実験に用いた回路を示す図である。
【０１７２】
図９に示される回路構成は、上述の図８に示される信号生成装置１７００の構成に、基づいている。また、本測定実験のゲート電圧の生成方法は、上述の出力信号の生成方法に、基づいている。
【０１７３】
図９において「Ｒ」で示される負荷が、１０Ω、１００Ω、１０００Ωである場合、および、「Ｒ」で示される部分が切断されている場合について、それぞれ、検出信号を測定した。
【０１７４】
図１０は、検出信号の測定結果を示す図である。
【０１７５】
図１０（ａ）は、負荷「Ｒ」が１０Ωである場合の検出信号の測定結果を示す図である。図１０（ａ）に示される場合の検出信号である検出出力の電圧値は、３．１７７Ｖである。
【０１７６】
図１０（ｂ）は、負荷「Ｒ」が１００Ωである場合の検出信号の測定結果を示す図である。図１０（ｂ）に示される場合の検出信号である検出出力の電圧値は、３．０９Ｖである。
【０１７７】
図１０（ｃ）は、負荷「Ｒ」が１０００Ωである場合の検出信号の測定結果を示す図である。図１０（ｃ）に示される場合の検出信号である検出出力の電圧値は、３．０２５Ｖである。
【０１７８】
図１０（ｄ）は、負荷「Ｒ」の部分が切断されている場合の検出信号の測定結果を示す図である。図１０（ｄ）に示される場合の検出信号である検出出力の電圧値は、３．０２３Ｖである。
【０１７９】
以上のように、出力信号の変化に応じて、検出信号が変化する。したがって、信号生成装置の回路の１次側（絶縁伝送の送信側）で、２次側（絶縁伝送の受信側）の出力信号の変化（例えば、低電圧状態などの異常の発生、など）を検出することができる。
【０１８０】
（実施の形態２）
以下、実施の形態２が説明される。上述の実施の形態１と重複する説明は、適宜、省略される。
【０１８１】
図１１は、実施の形態２における信号生成装置２０００の概略構成を示す図である。
【０１８２】
実施の形態２における信号生成装置２０００は、上述の実施の形態１における信号生成装置１０００の構成に加えて、さらに、下記の構成を備える。
【０１８３】
すなわち、実施の形態２における信号生成装置２０００は、第１調整部５００を備える。
【０１８４】
第１調整部５００は、第１検出部４００が生成する第１検出信号に基づいて、出力信号を調整する。
【０１８５】
以上の構成によれば、出力信号の変化を、効率的に、調整することができる。例えば、出力信号の異常を、効率的に、解消することができる。
【０１８６】
第１調整部５００としては、例えば、後述する図１２〜図１６に示される構成が、用いられる。
【０１８７】
なお、第１調整部５００は、第１検出信号に基づいて出力信号を調整するための制御回路を、備えてもよい。
【０１８８】
また、信号生成装置２０００は、その１次側（絶縁伝送の送信側）に、第１調整部５００を備えてもよい。
【０１８９】
図１２は、実施の形態２における信号生成装置２１００の概略構成を示す図である。
【０１９０】
実施の形態２における信号生成装置２１００は、上述の信号生成装置２０００の構成に加えて、さらに、下記の構成を備える。
【０１９１】
すなわち、実施の形態２における信号生成装置２１００においては、第１調整部５００は、入力波調整部５１０を含む。
【０１９２】
第１検出信号は、入力波調整部５１０に、入力される。
【０１９３】
入力波調整部５１０は、第１検出信号に応じて、入力波を調整する。
【０１９４】
入力波調整部５１０による入力波の調整により、出力信号が調整される。
【０１９５】
以上の構成によれば、第１絶縁素子の送信部の状態に応じて、第１絶縁素子により絶縁伝送される入力波の特性（例えば、振幅、周波数、など）を、効率的に、調整することができる。これにより、例えば、電源部により生成される電源電圧の大きさを、効率的に、調整することができる。この結果、例えば、出力信号の変化を、より効率的に、調整することができる。例えば、出力信号の異常を、より効率的に、解消することができる。
【０１９６】
なお、実施の形態２における信号生成装置２１００においては、第１検出部４００は、出力信号が所定の電圧値以下である状態である場合に、第１検出信号として、第１異常信号を生成してもよい。
【０１９７】
入力波調整部５１０は、第１異常信号が入力された場合に、入力波を増幅してもよい。
【０１９８】
このとき、入力波調整部５１０による入力波の増幅により、出力信号は所定の電圧値よりも高くなってもよい。
【０１９９】
以上の構成によれば、出力信号が低電圧状態となった場合に、第１絶縁素子により絶縁伝送される入力波を、効率的に、増幅することができる。これにより、例えば、電源部により生成される電源電圧を、効率的に、より大きくすることができる。この結果、例えば、出力信号の低電圧状態を、効率的に、解消することができる。
【０２００】
入力波調整部５１０としては、例えば、後述する図１３に示される構成が、用いられる。
【０２０１】
図１３は、実施の形態２における信号生成装置２２００の概略構成を示す図である。
【０２０２】
実施の形態２における信号生成装置２２００においては、入力波調整部５１０は、増幅器５１１を備える。
【０２０３】
増幅器５１１は、第１検出回路４１０により生成される第１検出信号に応じて、入力波を増幅する。
【０２０４】
なお、入力波調整部５１０は、さらに、増幅器５１１を制御するための制御回路を、備えてもよい。
【０２０５】
図１４は、実施の形態２における信号生成装置２３００の概略構成を示す図である。
【０２０６】
実施の形態２における信号生成装置２３００は、上述の信号生成装置２０００の構成に加えて、さらに、下記の構成を備える。
【０２０７】
すなわち、実施の形態２における信号生成装置２３００は、制御信号生成部６００と、絶縁部７００と、を備える。
【０２０８】
制御信号生成部６００は、制御信号を生成する。
【０２０９】
第１調整部５００は、制御信号調整部５２０を含む。
【０２１０】
制御信号調整部５２０は、第１検出信号に応じて、制御信号を調整する。
【０２１１】
絶縁部７００は、調整された制御信号を絶縁伝送し、絶縁伝送された制御信号に基づいて駆動信号を生成する。
【０２１２】
出力選択部３００は、駆動信号に基づいて、出力端子１０に出力信号を出力するか否かを選択する。
【０２１３】
以上の構成によれば、第１絶縁素子の送信部の状態に応じて、絶縁部により絶縁伝送される制御信号の特性（例えば、振幅、周波数、など）を、効率的に、調整することができる。これにより、例えば、出力選択部の動作を、効率的に、調整することができる。この結果、例えば、出力信号の変化を、より効率的に、調整することができる。例えば、出力信号の異常を、より効率的に、解消することができる。
【０２１４】
なお、実施の形態２における信号生成装置２３００においては、第１検出部４００は、出力信号が所定の電圧値以下の状態である場合に、第１検出信号として、第１異常信号を生成してもよい。
【０２１５】
制御信号調整部５２０は、第１異常信号が入力されると、制御信号を減衰してもよい。
【０２１６】
制御信号の減衰に応じて、駆動信号が減衰されてもよい。
【０２１７】
駆動信号の減衰により、出力選択部３００による出力端子１０への出力信号の出力が停止されてもよい。
【０２１８】
以上の構成によれば、第１絶縁素子の送信部の状態に応じて、絶縁部により絶縁伝送される制御信号を、効率的に、減衰させる（例えば、停止させる）ことができる。これにより、例えば、出力選択部の動作を、効率的に、停止することができる。この結果、例えば、出力信号に異常が生じた場合（例えば、出力信号が低電圧状態となった場合）に、出力信号の出力を、効率的に、停止することができる。
【０２１９】
制御信号調整部５２０としては、例えば、後述する図１５または図１６に示される構成が、用いられる。
【０２２０】
図１５は、実施の形態２における信号生成装置２４００の概略構成を示す図である。
【０２２１】
実施の形態２における信号生成装置２４００は、上述の信号生成装置２３００の構成に加えて、さらに、下記の構成を備える。
【０２２２】
すなわち、実施の形態２における信号生成装置２４００においては、入力波は、制御信号生成部６００に、入力される。このとき、入力波は、高周波である。
【０２２３】
制御信号生成部６００は、入力信号により高周波を変調することで、第１制御信号と第２制御信号とを生成する。すなわち、制御信号は、第１制御信号と、第２制御信号と、を含む。
【０２２４】
駆動信号は、第１駆動信号と、第２駆動信号と、を含む。
【０２２５】
絶縁部７００は、第２絶縁素子７１０と、第３絶縁素子７２０と、第２整流部７３０と、第３整流部７４０と、を備える。
【０２２６】
第２絶縁素子７１０は、第１制御信号を絶縁伝送する。
【０２２７】
第２整流部７３０は、絶縁伝送された第１制御信号を整流することにより、第１駆動信号を生成する。
【０２２８】
第３絶縁素子７２０は、第２制御信号を絶縁伝送する。
【０２２９】
第３整流部７４０は、絶縁伝送された第２制御信号を整流することにより、第２駆動信号を生成する。
【０２３０】
出力選択部３００は、第１スイッチング素子３１０と、第２スイッチング素子３２０と、を備える。
【０２３１】
第１スイッチング素子３１０は、第１駆動信号により、オン／オフの状態が切り替えられる。
【０２３２】
第２スイッチング素子３２０は、第２駆動信号により、オン／オフの状態が切り替えられる。
【０２３３】
第１スイッチング素子３１０と第２スイッチング素子３２０とのオン／オフの状態に応じて、電源部２００と出力端子１０との導通／非導通の状態が変化する。これにより、出力端子１０から出力信号が出力されるか否かが選択される。
【０２３４】
電源部２００と出力端子１０とが導通状態である場合に、出力端子１０から出力信号が出力される。
【０２３５】
制御信号調整部５２０は、第１異常信号が入力されると、第１制御信号と第２制御信号とうちの少なくとも一方を、調整する（例えば、減衰する）。
【０２３６】
以上の構成によれば、第１絶縁素子の送信部の状態に応じて、絶縁部により絶縁伝送される制御信号の特性（例えば、振幅、周波数、など）を、より効率的に、調整することができる。これにより、例えば、出力選択部の動作を、より効率的に、調整することができる。この結果、例えば、出力信号の変化を、より効率的に、調整することができる。例えば、出力信号の異常を、より効率的に、解消することができる。
【０２３７】
図１６は、実施の形態２における信号生成装置２５００の概略構成を示す図である。
【０２３８】
実施の形態２における信号生成装置２５００においては、制御信号調整部５２０は、増幅器５２１と、増幅器５２２と、を備える。
【０２３９】
増幅器５２１は、第１検出回路４１０により生成される第１検出信号に応じて、第１制御信号を減衰する。
【０２４０】
増幅器５２２は、第１検出回路４１０により生成される第１検出信号に応じて、第２制御信号を減衰する。
【０２４１】
なお、制御信号調整部５２０は、さらに、増幅器５２１と増幅器５２２とを制御するための制御回路を、備えてもよい。
【０２４２】
なお、制御信号調整部５２０は、増幅器５２１と増幅器５２２とのいずれか一方のみを備える構成であってもよい。
【０２４３】
なお、実施の形態２における信号生成装置は、第１調整部５００として、上述の入力波調整部５１０および制御信号調整部５２０の両方を備える構成であってもよい。
【０２４４】
以上の構成によれば、第１絶縁素子の送信部の状態に応じて、入力波の特性（例えば、振幅、周波数、など）を効率的に調整しながら、さらに、絶縁部により絶縁伝送される制御信号の特性（例えば、振幅、周波数、など）を、効率的に、調整することができる。
【０２４５】
なお、信号生成装置の回路の温度が変化することにより、入力波または出力信号に、温度特性による変動が生じうる。このような、温度特性による変動も、第１検出信号の変動として、検出できる。このため、実施の形態２の信号生成装置は、第１調整部５００として、第１検出信号に基づいて、温度特性による変動を抑制するように調整を行う調整部を備えてもよい。これにより、温度特性による変動を抑制できる。
【０２４６】
（実施の形態３）
以下、実施の形態３が説明される。上述の実施の形態１または実施の形態２と重複する説明は、適宜、省略される。
【０２４７】
図１７は、実施の形態３における信号生成装置３０００の概略構成を示す図である。
【０２４８】
実施の形態３における信号生成装置３０００は、上述の実施の形態２における信号生成装置２０００の構成に加えて、さらに、下記の構成を備える。
【０２４９】
すなわち、実施の形態３における信号生成装置３０００は、第２検出部８００と、第２調整部９００と、２次側入力端子９１と、を備える。
【０２５０】
２次側入力端子９１には、出力信号が入力される外部回路から得られる信号が、入力される。
【０２５１】
第２検出部８００は、２次側入力端子９１からの信号を検出する。第２検出部８００は、２次側入力端子９１からの信号に基づいて、出力信号に応じた第２検出信号を生成する。
【０２５２】
第２調整部９００は、第２検出信号に基づいて、出力信号を調整する。
【０２５３】
以上の構成によれば、第１検出部の第１検出信号に基づいた出力信号の異常の検出および調整とともに、第２検出部の第２検出信号に基づいた出力信号の異常の検出および調整を、同時に、行うことができる。この結果、例えば、出力信号の変化を、より効率的に、調整することができる。例えば、出力信号の異常を、より効率的に、解消することができる。
【０２５４】
なお、実施の形態３における信号生成装置３０００においては、第２検出部８００は、出力信号が所定の電圧値以下の状態である場合に、第２検出信号として、第２異常信号を生成してもよい。
【０２５５】
このとき、第２調整部９００は、第２異常信号が入力された場合に、出力端子への出力信号の出力を停止させてもよい。
【０２５６】
以上の構成によれば、第１検出部の第１検出信号に基づいた出力信号の異常の検出および調整とともに、第２検出部の第２検出信号に基づいた出力信号の出力の停止を、同時に、行うことができる。この結果、例えば、第１検出部の第１検出信号に基づいて信号生成装置の外部に出力信号の異常を通知しながら、出力信号の出力を停止することができる。これにより、信号生成装置のより安定な動作が実現できる。
【０２５７】
なお、第２調整部９００は、第２検出信号に基づいて、出力選択部３００を制御することで、出力信号を調整してもよい。
【０２５８】
また、第２調整部９００は、第２検出信号に基づいて出力信号を調整するための制御回路を、備えてもよい。
【０２５９】
また、信号生成装置３０００は、その１次側（絶縁伝送の送信側）に、第１検出部４００と第１調整部５００とを備えてもよい。
【０２６０】
また、信号生成装置３０００は、その２次側（絶縁伝送の受信側）に、第２検出部８００と第２調整部９００とを備えてもよい。
【０２６１】
なお、第１調整部５００または第２調整部９００が備えうる制御回路は、例えば、プロセッサ（例えば、ＣＰＵ（Ｃｅｎｔｒａｌ  Ｐｒｏｃｅｓｓｉｎｇ  Ｕｎｉｔ）、ＭＰＵ（Ｍｉｃｒｏ−Ｐｒｏｃｅｓｓｉｎｇ  Ｕｎｉｔ）、など）とメモリとにより、構成されてもよい。このとき、当該プロセッサは、メモリに記憶されているプログラムを読み出して実行することで、本開示で示される制御方法（調整方法）を実行してもよい。
【０２６２】
なお、上述の実施の形態１〜３においては、「２つの要素間の接続」（例えば、ある素子が別の素子に接続する）とは、直接的な接続だけでなく、電気的な接続、および、それら２つの要素間に他の要素（例えば、実施の形態の機能を損なわない、配線、抵抗素子、など）が介在する接続を、意味してもよい。
【産業上の利用可能性】
【０２６３】
本開示は、例えば、大電力を扱うパワー半導体デバイスを駆動するゲート駆動回路として有用である。
【符号の説明】
【０２６４】
１００    第１絶縁素子
１０１    送信部
１０２    受信部
２００    電源部
２１０    第１整流部
Ｌ１    リアクトル
Ｄ１    ダイオード
Ｃ１    キャパシタ
２２０    電荷蓄積素子
３００    出力選択部
３１０    第１スイッチング素子
３２０    第２スイッチング素子
４００    第１検出部
４１０    第１検出回路
４１１    第１検出端子
４１２    整流部
Ｌ０    リアクトル
Ｄ０    ダイオード
Ｃ０    キャパシタ
４１３    比較器
４１４    基準電圧
４１５    増幅器
５００    第１調整部
５１０    入力波調整部
５１１    増幅器
５２０    制御信号調整部
５２１    増幅器
５２２    増幅器
６００    制御信号生成部
７００    絶縁部
７１０    第２絶縁素子
７１１    送信部
７１２    受信部
７２０    第３絶縁素子
７２１    送信部
７２２    受信部
７３０    第２整流部
Ｌ２    リアクトル
Ｄ２    ダイオード
Ｃ２    キャパシタ
７４０    第３整流部
Ｌ３    リアクトル
Ｄ３    ダイオード
Ｃ３    キャパシタ
８００    第２検出部
９００    第２調整部
１０    出力端子
１１    出力基準端子
２０    入力波入力端子
２１    入力信号入力端子
３０    スイッチング素子
４０    高周波生成部
５０    入力信号生成部
１０００、１１００、１２００、１３００、１４００、１５００、１６００、１７００、２０００、２１００、２２００、２３００、２４００、２５００、３０００    信号生成装置
【図１】
2017143726.tif 000003
【図２】
2017143726.tif 000004
【図３】
2017143726.tif 000005
【図４】
2017143726.tif 000006
【図５】
2017143726.tif 000007
【図６】
2017143726.tif 000008
【図７】
2017143726.tif 000009
【図８】
2017143726.tif 000010
【図９】
2017143726.tif 000011
【図１０】
2017143726.tif 000012
【図１１】
2017143726.tif 000013
【図１２】
2017143726.tif 000014
【図１３】
2017143726.tif 000015
【図１４】
2017143726.tif 000016
【図１５】
2017143726.tif 000017
【図１６】
2017143726.tif 000018
【図１７】
2017143726.tif 000019
【図１８】
2017143726.tif 000020